(57)【特許請求の範囲】
【請求項１】
靴を履く際に用いられ、
踝の下相当であって、足軸方向と同じ方向を長手方向とする部分に保冷剤を保持する保持機構を有することを特徴とする靴下。
【請求項２】
前記保持機構は靴下の外面に設けられていることを特徴とする請求項１記載の靴下。
【請求項３】
前記保持機構はポケットであることを特徴とする請求項１〜２いずれか記載の靴下。
【請求項４】
前記保持機構は面ファスナであることを特徴とする請求項１〜２いずれか記載の靴下。
【請求項５】
靴を履く際に用いられ、
踝の下相当であって、足軸方向と同じ方向を長手方向とする部分に加温剤を保持する保持機構を有することを特徴とする靴下。
【請求項６】
踝の下であって、足軸方向と同じ方向を長手方向とする相当部分に保冷剤または加温材を保持する保持機構を有することを特徴とする靴。
【発明の詳細な説明】
【技術分野】
【０００１】
本発明は保冷剤保持機構を有する靴下または靴に関する。
【背景技術】
【０００２】
近年、熱中症の被害が深刻である。夏期に屋外作業をする場合だけでなく、屋内であっても高温、多湿、風通しが悪い工場内作業をする場合でも熱中症のおそれがある。
【０００３】
濡れタオル等を首に巻き、こまめに水分補給することが、一般的な熱中症対策である。濡れタオルに代わる保冷バンドも提案されている（例えば特許文献１）。
【０００４】
発明人は、炎天下、屋外作業をする人たちを長年観察してきた。その結果、首の冷却手段は、作業の障害になるだけでなく、熱中症対策のとしても効果が少ないのではと考えた。
【０００５】
図１５に人体の血管と神経の概要を示す。
【０００６】
首は、心臓とも脳とも近い。多くの神経と太い血管が走っている。首を冷やすことで、即効性もあり、冷却感を実感しやすい。したがって、首の冷却は熱中症対策として有効であると一般に言われている。
【０００７】
しかしながら、首の冷却は、いわば短期集中的、直接的な冷却であり、全身から見るとムラがある冷却である。急激な冷却はむしろ体の負担になっている。熱中症になった場合の緊急措置には適しているが、継続的な作業における熱中症予防対策には適していない。
【０００８】
ところで、手および足は人体の末端であり、手や足の神経や血管は全身につながっている。手や足を漸次継続的に（ゆっくりじわじわ）冷却し、血管や神経を介して、間接的に全身を万遍なく冷却した方が、体の負担は少なく、継続的な作業における熱中症予防対策には適している。発明者は以上の様な結論に至った。
【０００９】
そして、上記施術思想を技術思想に昇華させ、手または足の甲相当箇所に保冷剤保持機構（ポケット）を有する手袋および靴下を提案している（特許文献２）。
【先行技術文献】
【特許文献】
【００１０】
【特許文献１】実用新案登録第３１４８５２５号
【特許文献２】実用新案登録第３１９４３４８号
【発明の概要】
【発明が解決しようとする課題】
【００１１】
手の甲相当箇所に保冷剤保持ポケットを有する手袋および足の甲相当箇所に保冷剤保持ポケットを有する靴下は、末端の漸次継続的冷却による間接的万遍的な全身冷却という施術思想を実現でき、高い熱中症対策効果が得られる。
【００１２】
しかしながら、実際に、足の甲相当箇所に保冷剤保持ポケットを有する靴下をはいたうえで靴を履くとき、保冷剤が物理的障害となり、靴をスムーズに履けなかったり、靴内環境が窮屈に感じられた。その結果、作業性が損なわれ、実用性が充分でなかった。
【００１３】
本発明は上記課題を解決するものであり、高い熱中症対策効果が得られるとともに作業性を損なわない靴下および靴を提供することを目的とする。
【課題を解決するための手段】
【００１４】
上記課題を解決する本発明は、踝の下相当部分に保冷剤を保持する保持機構を有することを特徴とする靴下である。
【００１５】
これにより、作業性を損なわず、高い熱中症対策効果が得られる。
【００１６】
好ましくは、前記保持機構は靴下の外面に設けられている。
【００１７】
好ましくは、前記保持機構はポケットである。
【００１８】
好ましくは、前記保持機構は面ファスナである。
【００１９】
上記課題を解決する本発明は、踝の下相当部分に加温剤を保持する保持機構を有することを特徴とする靴下である。
【００２０】
上記課題を解決する本発明は、踝の下相当部分に保冷剤または加温材を保持する保持機構を有することを特徴とする靴である。
【００２１】
本願技術思想を靴に適用した場合も、本願効果が得られる。
【発明の効果】
【００２２】
本発明の靴下および靴は、作業性を損なわず、かつ、高い熱中症対策効果が得られる。
【図面の簡単な説明】
【００２３】
【図１】靴下概要（第１実施形態）
【図２】靴下概要（第１実施形態）
【図３】保持機構（ポケット）の詳細断面図
【図４】足の血管と神経
【図５】靴下概要（参考例）
【図６】足の外観
【図７】足の外観
【図８】足の裏の外観
【図９】足と靴の寸法関係
【図１０】足と靴の寸法関係
【図１１】靴下概要（第２実施形態）
【図１２】靴下概要（第２実施形態）
【図１３】靴下概要（第３実施形態）
【図１４】靴概要（第４実施形態）
【図１５】人体の血管と神経
【発明を実施するための形態】
【００２４】
＜第１実施形態＞
〜構成〜
図１および図２に第１実施形態を示す。第１実施形態は本発明を靴下に適用したものである。
【００２５】
作業用靴下１はいわゆる軍足と呼ばれる伸縮性に富む編物が一般的であるが、これに限定されない。図示では、作図の簡略化のため、軍足の編目の表示を省略している。
【００２６】
一般的に、靴下は、靴下をはいたときに地面と平行に位置する水平部と、垂直に立設される垂直部と、から構成される。水平部と垂直部とは一体となる様に連続しており、連結箇所が踝相当位置となる。垂直部の頂部に足挿入のための開口が設けられている。
【００２７】
作業用靴下１の踝の下相当部分かつ外側にポケット２が設けられている。なお、下とは、靴下をはいたときに地面に近づく方向である。ポケット２は左右両側に設けられている。
【００２８】
ポケット２は踵付近から足中間付近まで、足長軸方向と同じ方向に長手方向幅を有する。ポケット２の短手方向幅は、踝から足裏までの距離より短い。
【００２９】
場合によっては、ポケット２は内側に設けられてもよい。
【００３０】
場合によっては、ポケット２は片側でも良い。すなわち、外側（小指側）踝の下でも良いし、内側（親指側）踝の下でも良い。
【００３１】
図３は、保持機構（ポケット）の詳細断面図である。ポケット２には開口部３が設けられている。開口部３を介して保冷剤４が保持される。ポケット２は伸縮性ある素材で構成されていると保冷剤４の保持が容易である。
【００３２】
開口部３は爪先側または／および踵側に形成されている。スティック形状の保冷剤４を足長軸方向にスライドさせて、開口部３を介してポケット２に挿入する。
【００３３】
保冷剤４は、弁当等の保冷用として市販されるものを冷凍して用いる。スティック形状であることが好ましい。
【００３４】
ポケット２内側には防水層５が設けられている。これにより、凍結した保冷剤による結露により、作業用靴下１内が濡れたり蒸れたりすることを防止する。
【００３５】
ポケット２内側には防水層５を設けているが、結露による水滴が足に伝達し、気化熱効果を期待する場合は、防水層５は不要である。
【００３６】
作業用靴下１の踝の下相当部分には、適度に炭素繊維６が編み込まれている。炭素繊維は作業用靴下１で使用されている材料（綿や化繊など）より高い熱伝導率を有する。これにより、保冷剤の冷熱は、外気側には伝達せず、炭素繊維６を介して足に伝達される。
【００３７】
炭素繊維６の編み込み量を調節して、冷熱の伝達量を調節できる。
【００３８】
上記熱伝導手段がなくとも、適量の冷熱伝達が可能な場合には、熱伝導手段は不要である。
【００３９】
上記熱伝導手段の一例として炭素繊維を挙げたが、グロメット（ハトメ）等の金属を取り付けても良い。
【００４０】
〜一般的な効果〜
【００４１】
図４は足の血管と神経を示す図である。足の甲と同様に、踝の下付近にも適度に太い神経や太い血管が通っている。これらの神経や血管は全身につながっている。
【００４２】
したがって、当該部位を漸次継続的に（ゆっくりじわじわ）冷却し、血管や神経を介して、間接的に全身を万遍なく冷却できる。
【００４３】
ポケットを靴下の外側に設けているため、過剰な冷却を防止できる。すなわち「末端の漸次継続的冷却による間接的万遍的な全身冷却」という施術思想を実現できる。その結果、高い熱中症対策効果が得られる。
【００４４】
炭素繊維６の編み込み量を調節することで、冷熱を足の踝の下に確実に伝達させるとともに、過剰な冷却を防止する。
【００４５】
ポケットを靴下の外側に設けているため、保冷剤の交換が容易である。
【００４６】
〜保持位置および効果〜
図５は、参考例に係る保持機構（ポケット）を有する靴下である。ポケットは足の甲相当部分に設けられている。
【００４７】
参考例においても、末端の漸次継続的冷却による間接的万遍的な全身冷却という施術思想を実現することにより、高い熱中症対策効果が得られる。
【００４８】
しかしながら、参考例は靴との関係について検討されていない。実際に、足の甲相当箇所に保冷剤保持ポケットを有する靴下をはいたうえで靴を履くとき、保冷剤が物理的障害となり、靴をスムーズに履けなかったり、靴内環境が窮屈に感じられた。その結果、作業性が損なわれ、実用性が充分でなかった。
【００４９】
そこで、足と靴の関係について着目した。
【００５０】
図６および図７は人の足の外観を示す図である。図６は背面から見た図であり、図７は斜め後ろ側から見た図である。
【００５１】
踝とは足首の関節の内外両側にある突起した骨により、足首あたりのでっぱっている部位を言う。踝がでっぱっている結果、踝の下には窪みが形成される。
【００５２】
図８は人の足の裏の外観を示す図である。一般に、爪先側の足幅は踵側の足幅より広い。
【００５３】
図９および図１０は人の足と靴１０の寸法関係を示す図である。図９は上面から見た図であり、図１０は背面から見た図である。
【００５４】
靴１０を履く動作において、足爪先を靴開口部より挿入し、向きを変えて靴爪先側まで移動させる。したがって、足爪先は靴踵部周辺を必ず経由する。そこで、靴踵側幅は爪先側足幅に対応するよう設計される。すなわち、靴踵側幅は踵側足幅に比べて一回り広くなる。
【００５５】
踝の下の窪みおよび靴踵側幅広により、両者の間に比較的大きな空間が形成される。本願発明者はこの空間に着目した。当該空間に保冷剤４を保持すれば、靴を履くとき、保冷剤４が障害とならず、靴をスムーズに履け、靴内環境にも余裕がある。その結果、作業性が損なわれることはない。
【００５６】
＜変形例＞
第１実施形態は、本発明の一形態であり、発明の技術思想の範囲で種々の変形が可能である。変形例として第２〜５実施形態について説明する。
【００５７】
〜第２実施形態〜
図１１および図１２に第２実施形態を示す。第２実施形態は、第１実施形態の保持機構２を変形するものである。
【００５８】
作業用靴下１の踝の下相当部分かつ外側に面ファスナ１２aが設けられている。面ファスナ１２aは左右両側に設けられている。
【００５９】
面ファスナ１２aは踵付近から足中間付近まで、足長軸方向と同じ方向に長手方向幅を有する。面ファスナ１２aの短手方向幅は、踝から足裏までの距離より短い。
【００６０】
スティック形状の保冷剤４にも面ファスナ１２ｂが設けられている。面ファスナ１２aと面ファスナ１２ｂとが対応し、脱着自在となる。
【００６１】
〜第３実施形態〜
図１３に第３実施形態を示す。第３実施形態は、第１実施形態の開口部３位置を変形するものである。
【００６２】
第１実施形態では、保冷剤４の保持性に着目して、スティック形状の保冷剤４を足長軸方向にスライドさせて、開口部３を介してポケット２に挿入している。第１実施形態の試作モデルを製作したところ、靴１０内における保冷剤４の保持性は充分であった。
【００６３】
第２実施形態では、着脱容易性に着目して、保持機構に面ファスナ１２ａ，１２ｂを用いている。第２実施形態の試作モデルを製作したところ、靴１０内における保冷剤４の保持性は予想より良好であった。
【００６４】
踝の下の窪みと靴踵側内側面の間に比較的大きな空間が形成される（図９、図１０参照）ものの、その前後左右は狭小になっており、当該空間において保冷剤４は遊びを有しながら適切に保持されているという知見が試作モデル製作より得られた。すなわち、面ファスナ１２による保持力がポケット２の保持力より多少劣っていても、当該空間の保持力が補足する。
【００６５】
第３実施形態では、開口部２３はポケット２２の上辺に形成されている。一回り幅広の保冷剤２４を上方から開口部２３を介してポケット２２に挿入する。保冷剤２４の一部が開口部２３よりはみ出ていてもよい。これにより、スティック形状の保冷剤４より一回り幅広の保冷剤２４を用いることができる。また保冷剤幅サイズの選択が可能となる。
【００６６】
第３実施形態の試作モデルを製作したところ、第１実施形態の試作モデルに準ずる保持性を有し、激しいスポーツ等でなければ（一般的な屋外作業であれば）、靴１０内における保冷剤２４の保持性は予想より良好であった。第３実施形態においても、当該空間の保持力が補足している。
【００６７】
〜第４実施形態〜
図１４に第４実施形態を示す。第１〜３実施形態は本発明を靴下に適用したものであるのに対し、第４実施形態は本発明を靴に適用したものである。
【００６８】
一般的に、靴は、靴をはいたときに地面と平行に位置する水平部と、垂直に立設される垂直部と、から構成される。水平部と垂直部とは一体となる様に連続しており、連結箇所が踝相当位置となる。垂直部の頂部に足挿入のための開口が設けられている。
【００６９】
靴１０の踝の下相当部分かつ内側にポケット３２が設けられている。なお、下とは、靴をはいたときに地面に近づく方向である。ポケット３２は左右両側に設けられている。
【００７０】
靴１０の外側には、開口部３３が設けられている。外側よりスティック形状の保冷剤４を足長軸方向にスライドさせて、開口部３３を介して内部ポケット３２に挿入する。開口部３３には線ファスナが設けられている。保冷剤４挿入時以外では線ファスナは閉じている。
【００７１】
これにより、踝の下の窪みと靴踵側内側面の間に形成される比較的大きな空間に、保冷剤４は遊びを有しながら適切に保持される。
【００７２】
第４実施形態の変形例として、保持機構３２を面ファスナ（第２実施形態参照）としても良い。
【００７３】
第４実施形態の変形例として、保持機構３２を上辺開口の内ポケット（第３実施形態参照）としても良い。
【００７４】
〜第５実施形態〜
【００７５】
第１〜４実施形態では、熱中症予防対策として保冷剤を保持することを前提としているが、寒冷地対策として発熱カイロを保持してもよい。
【００７６】
＜補足＞
本発明は、靴と踝下の間に空間が形成されていること、当該空間が補正材保持に対し適切に補足すること、当該部位の冷却は足の甲の冷却と同等の効果が得られることの３要素が相互に関係することにより、従来技術から予想できない効果を奏する。
【符号の説明】
【００７７】
１  作業用靴下
２  ポケット
３  ポケット開口部
４  保冷剤
５  防水層
６  炭素繊維
１０  靴
１２  面ファスナ
２２  ポケット
２３  ポケット開口部
２４  保冷剤
３２  ポケット
３３  ポケット開口部
【図１】
0006905765.tif 000002
【図２】
0006905765.tif 000003
【図３】
0006905765.tif 000004
【図４】
0006905765.tif 000005
【図５】
0006905765.tif 000006
【図６】
0006905765.tif 000007
【図７】
0006905765.tif 000008
【図８】
0006905765.tif 000009
【図９】
0006905765.tif 000010
【図１０】
0006905765.tif 000011
【図１１】
0006905765.tif 000012
【図１２】
0006905765.tif 000013
【図１３】
0006905765.tif 000014
【図１４】
0006905765.tif 000015
【図１５】
0006905765.tif 000016